(57)【要約】  とりわけ、ネットワーク移行ユニット（ＩＭ−ＭＧＷ）が受信されたデータの値を用いてシグナリングデータが有効データから分離される方法が提供される。シグナリングデータは制御ユニット（ＭＧＣＦ）に対してカプセル化される。この手法によりビデオ電話に対して殊に、２つの異なったデータ伝送ネットワーク（ＣＳ，ＩＭＳ）が簡単な形式で結合される。
2009513045.tif 000002
【特許請求の範囲】
【請求項１】
ネットワーク移行ユニット（ＩＭ−ＭＧＷ）においてシグナリングデータを転送するための方法であって、次のステップを有している：
第１のシグナリング方法に従ってシグナリングされる第１のデータ伝送ネットワーク（ＣＳ）と第２のシグナリング方法に従ってシグナリングされる第２のデータ伝送ネットワーク（ＩＭＳ）との間で有効データを伝送するネットワーク移行ユニット（ＩＭ−ＭＧＷ）において、第１のデータ伝送ネットワーク（ＣＳ）から２つの端末装置（ＭＳ１，ＭＳ２）または端末装置間グループ間のデータ伝送サービスに対してシグナリングデータおよび有効データが伝送されるデータ伝送コネクションを介してデータを受信し、
ここで第１のシグナリング方法は第２のシグナリング方法とは相異しており、
ネットワーク移行ユニット（ＩＭ−ＭＧＷ）において、シグナリングデータと有効データとを分離し、
受信されたシグナリングデータを変化されていない形において前記ネットワーク移行ユニット（ＩＭ−ＭＧＷ）から制御ユニット（ＭＧＣＦ）に転送し、
前記ネットワーク移行ユニット（ＩＭ−ＭＧＷ）において、前記有効データを前記第１のデータ伝送ネットワーク（ＣＳ）から前記第２のデータ伝送ネットワーク（ＩＭＳ）へ転送する
方法。
【請求項２】
前記データ伝送コネクションは、物理的なデータ伝送に対するプロトコル層の上にあるプロトコルレベル上のコネクションである、
または次のステップが実施される：
制御ユニット（ＭＧＣＦ）において、シグナリングデータにより確定される、第１のシグナリング方法によるシグナリング通信に基づいて、第２のシグナリング方法に従って少なくとも１つのシグナリング通信を生成する
請求項１記載の方法。
【請求項３】
前記データ伝送コネクションをシグナリング通信を用いて確立する
請求項１または２記載の方法。
【請求項４】
データ伝送コネクションは少なくとも２つの異なった種類の有効データ、例えば音声データおよびビデオデータを伝送するために用いられる
請求項１から３までのいずれか１項記載の方法。
【請求項５】
分離を受信されたデータの値を用いて実施する
請求項１から４までのいずれか１項記載の方法。
【請求項６】
第１のシグナリング方法は、シグナリングデータおよび有効データが同一の伝送区間を介して伝送されるシグナリング方法、例えばイン・バンド・シグナリング方法であり、かつ
第２のシグナリング方法は、シグナリングデータが有効データとは別の伝送区間を介して伝送されるシグナリング方法、例えばアウト・オブ・バンド・シグナリング方法である
請求項１から５までのいずれか１項記載の方法。
【請求項７】
第１のデータ伝送ネットワーク（ＣＳ）は回線交換データ伝送ネットワーク、インターネットプロトコルに従ってデータ伝送が行われるデータ伝送ネットワークまたはＡＴＭ伝送ネットワークでありかつ
第２の伝送ネットワーク（ＩＭＳ）はインターネットプロトコルに従って動作しかつ有利にはシグナリングのためにＳＩＰを利用するデータ伝送ネットワークである
請求項１から６までのいずれか１項記載の方法。
【請求項８】
シグナリングデータをシグナリングデータパケットにおいて伝送しかつ有効データを有効データパケットにおいて伝送し、かつ
分離をデータパケットに含まれている識別符号に基づいて、例えばＨ．２２３マルチプレクスコード識別符号に基づいて実施する
請求項１から７までのいずれか１項記載の方法。
【請求項９】
ステップ：
シグナリングデータを外部の伝送区間を介して制御ユニット（ＭＧＣＦ）に伝送する
を備えている
請求項１から８までのいずれか１項記載の方法。
【請求項１０】
前記制御ユニット（ＭＧＣＦ）は第１のデータ伝送ネットワーク（ＣＳ）に対する別のシグナリング方法に従ったシグナリング通信を有するシグナリングデータも処理し、ここでシグナリング通信はＢＩＣＣまたはＩＳＵＰに従って伝送される
請求項１から９までのいずれか１項記載の方法。
【請求項１１】
前記制御ユニット（ＭＧＣＦ）とネットワーク移行ユニット（ＩＭ−ＭＧＷ）との間で、制御シグナリング方法に従って、例えば標準ＩＴＵ−Ｔ  Ｈ．２４８またはＭＥＧＡＣＯ  プロトコルに従ってまたはＭＧＣＰプロトコルに従ってシグナリング通信が伝送される
請求項１から１０までのいずれか１項記載の方法。
【請求項１２】
ステップ：
転送を前記制御ユニット（ＭＧＣＦ）によって行わせる
を備えている
請求項１から１１までのいずれか１項記載の方法。
【請求項１３】
前記制御ユニット（ＭＧＣＦ）は、先送りされるべきであることを指示している識別符号（H245Signalling）、例えばＨ．２４８イベントに対する識別符号を含んでいる通信（４）の送信によって転送が行われるようにする
請求項１２記載の方法。
【請求項１４】
前記ネットワーク移行ユニット（ＩＭ−ＭＧＷ）は、通信、例えば転送されるべきシグナリング通信をパラメータとして含んでいるＨ．２４８ノティファイ・リクエスト通信（１０，１９，２５）を備えたシグナリング通信を転送する
請求項１から１３までのいずれか１項記載の方法。
【請求項１５】
前記パラメータは、識別符号（H245Signalling）が、通信は転送されることを指示しているＨ．２４８イベントのパラメータである
請求項１３または１４に記載の方法。
【請求項１６】
前記制御ユニット（ＭＧＣＦ）は第１のシグナリング方法に従ったシグナリングを終了するまたは開始する
請求項１から１５までのいずれか１項記載の方法。
【請求項１７】
前記制御ユニット（ＭＧＣＦ）は前記ネットワーク移行ユニット（ＩＭ−ＭＧＷ）に第１のシグナリング方法に従ったシグナリング通信を通信、例えば通信（１２，１５，２１）における、例えばＨ．２４８モディファイ・リクエスト通信におけるパラメータとして伝送し、ここでＨ．２４８通信は、第１のシグナリング方法に従った通信がパラメータとして先送りされることを指示する識別符号（H245Message）を含んでいる
請求項１から１６までのいずれか１項記載の方法。
【請求項１８】
先送りされる通信はネットワーク移行ユニット（ＩＭ−ＭＧＷ）から変化されずに端末装置（ＭＳ１）のサイドに第１のデータ伝送ネットワークにおいて伝送される
請求項１７記載の方法。
【請求項１９】
シグナリングデータおよび有効データはマルチプレックス方法に従って、例えば標準ＩＴＵ−Ｔ  Ｈ．２２３に規定されている方法に従ってネットワーク移行ユニットに伝送される
請求項１から１８までのいずれか１項記載の方法。
【請求項２０】
前記制御ユニット（ＭＧＣＦ）はネットワーク移行ユニットを、有利にはマルチプレクスレベルの取り決めが開始されるべきであるということを指示する識別符号（H223MultiplexingLevelNegotiation）、例えばＨ．２４８シグナル識別符号を含んでいる通信（４）を送信することによって制御して、マルチプレクスレベルの取り決めが始められるようにする
請求項１から１９までのいずれか１項記載の方法。
【請求項２１】
前記制御ユニット（ＭＧＣＦ）はネットワーク移行ユニットを制御して、該制御ユニット（ＭＧＣＦ）に、取り決められたマルチプレックスレベルの値が指示されている通信が、例えばマルチプレックスレベルの値が制御ユニット（ＭＧＣＦ）に伝送されるべきであることを指示している識別符号（H223Establishment）、例えばＨ．２４８イベント識別符号を含んでいる通信（４）の送信により送信されるようにする
請求項１から２０までのいずれか１項記載の方法。
【請求項２２】
ネットワーク移行ユニット（ＩＭ−ＭＧＷ）は制御ユニット（ＭＧＣＦ）に、マルチプレックスレベルの取り決め後に、マルチプレックスレベルの値を通信（７）において、例えばＨ．２４８ノティファイ・リクエスト通信において伝送する
請求項１から２１までのいずれか１項記載の方法。
【請求項２３】
第１のシグナリング方法はプロトコルＩＴＵ−Ｔ  Ｈ．２４５に従った方法であり、および／または
第２のシグナリング方法はＳＩＰシグナリング方法である
請求項１から２２までのいずれか１項記載の方法。
【請求項２４】
前記制御ユニット（ＭＧＣＦ）は第１のシグナリングプロトコルに従ったシグナリング通信の生成の際に、有利にはＨ．２４５に従った TerminalCapabilitySet 通信の生成の際にネットワーク移行ユニット（ＩＭ−ＭＧＷ）の特性を考慮する
請求項１から２３までのいずれか１項記載の方法。
【請求項２５】
ステップ：
ネットワーク移行ユニット（ＩＭ−ＭＧＷ）において、前記制御ユニット（ＭＧＣＦ）から第１のデータ伝送ネットワーク（ＣＳ）と第２のデータ伝送ネットワーク（ＩＭＳ）との間の境界に第１の伝送区間を介して到来するシグナリングデータを受信し、
前記ネットワーク移行ユニット（ＩＭ−ＭＧＷ）において、第２の伝送区間を介して第２のデータ伝送ネットワーク（ＩＭＳ）から有効データを受信し、ここで有効データはシグナリングデータに関連しており、
前記ネットワーク移行ユニット（ＩＭ−ＭＧＷ）において、受信されたシグナリングデータおよび受信された有効データを同じ伝送区間を介して送信する
を備えている
請求項１から２４までのいずれか１項記載の方法。
【請求項２６】
シグナリングデータを制御ユニット（ＭＧＣＦ）に転送するための方法であって、
次のステップ：
第１のシグナリング方法によりシグナリングされる第１のデータ伝送ネットワーク（ＣＳ）と第２のシグナリング方法によりシグナリングされる第２のデータ伝送ネットワーク（ＩＭＳ）との間でシグナリングデータを伝送するために用いられる制御ユニット（ＭＧＣＦ）において、第１のシグナリング方法に従ってシグナリングデータを受信し、ここで第１のシグナリング方法は、２つの端末装置（ＭＳ１，ＭＳ２）間または端末装置グループ間でデータ伝送サービスが伝送されるシグナリング方法であり、かつ
第２のシグナリング方法は、シグナリングデータおよび有効データが相互に異なっている伝送区間を介して伝送されるシグナリング方法である
を備えている方法。
【請求項２７】
ダミーシグナリングデータにより確定された、第１のシグナリング方法によるシグナリング通信に基づいて、第２のシグナリング方法に従って少なくとも１つのシグナリング通信を生成する
請求項２６記載の方法。
【請求項２８】
前記制御ユニット（ＭＧＣＦ）によってネットワーク移行ユニット（ＩＭ−ＭＧＷ）からシグナリングデータが送信されるようにし、ここでネットワーク移行ユニット（ＩＭ−ＭＧＷ）はシグナリング通信に関する有効データを第１のデータ伝送ネットワークおよび第２のデータ伝送ネットワーク間で転送する
請求項２６または２７記載の方法。
【請求項２９】
前記制御ユニットは請求項１から２５までのいずれか１項記載の方法に使用される
請求項２６から２８までのいずれか１項記載の方法。
【請求項３０】
次のステップ：
前記制御ユニット（ＭＧＣＦ）において、第２のシグナリング方法によりシグナリングデータを受信し、受信されたシグナリングデータにより第２のシグナリング方法により確定されたシグナリング通信に基づいて、第１のシグナリング方法に従ってシグナリング通信を生成する
請求項２６から２９までのいずれか１項記載の方法。
【請求項３１】
第１のデータ伝送ネットワーク（ＣＳ）に対する第１のシグナリング方法に従ったシグナリングデータを受信しかつ前記第１のデータ伝送ネットワーク（ＣＳ）からの、該シグナリングデータに関連した有効データを受信する受信ユニット（６０）と、
前記受信ユニット（６０）で受信されたシグナリングデータを変化せずに送信するシグナリングデータ送信ユニット（６２）と、
前記受信ユニット（６０）において受信された有効データを第２のデータ伝送ネットワーク（ＩＭＳ）に送信する有効データ送信ユニット（８０）と、
シグナリングデータおよび有効データを相互に分離しかつシグナリングデータをシグナリングデータ送信ユニット（６２）に転送しかつ有効データを有効データ送信ユニット（８０）に転送する分離ユニットと
を備えている
ネットワーク移行ユニット（ＩＭ−ＭＧＷ）、例えば請求項１から３０までのいずれか１項記載の方法を実施するためのネットワーク移行ユニット。
【請求項３２】
第１のデータ伝送ネットワーク（ＣＳ）に対する第１のシグナリング方法に従ったシグナリングデータを受信する受信ユニット（５０）と、
第２のデータ伝送ネットワーク（ＣＳ）に対する第２のシグナリング方法に従ったシグナリングデータを送信する送信ユニット（７２）とを備え、ここで第１のシグナリング方法は、２つの端末装置（ＭＳ１，ＭＳ２）または端末装置グループ間のデータ伝送コネクションに対して第１のシグナリング方法に従ったシグナリングデータおよび有効データが伝送されるデータ伝送コネクションが使用されるシグナリング方法でありかつ第２のシグナリング方法はシグナリングデータおよび有効データが相互に異なっている伝送区間を介して伝送されるシグナリング方法でありかつ
第１のシグナリング方法に従ったシグナリング通信から出発して第２のシグナリング方法に従って相応のシグナリング通信を生成する変換ユニット（５２）を
備えている
制御ユニット（ＭＧＣＦ）、例えば請求項１から３０までのいずれか１項記載の方法を実施するための制御ユニット。
【発明の詳細な説明】
【技術分野】
【０００１】
本発明はとりわけ、次のステップを有している、シグナリングデータをネットワーク移行ユニットに転送するための方法に関する：
−  ネットワーク移行ユニットもしくはゲートウェイにおいて第１のデータ伝送ネットワーク（ＣＳ）から、２つの端末装置（ＭＳ１，ＭＳ２）または端末装置グループ間のデータ伝送サービスに対してシグナリングデータおよび有効データが伝送されるデータ伝送コネクションを介してもしくはトランスポートコネクションを介してデータを受信する、ここでネットワーク移行ユニットは第１のシグナリング方法に従ってシグナリングされる第１のデータ伝送ネットワーク（ＣＳ）と、第２のシグナリング方法に従ってシグナリングされる第２のデータ伝送ネットワーク（ＩＭＳ）との間で有効データを伝送し、ここで第１のシグナリング方法は第２のシグナリング方法とは相異している。
【０００２】
第３世代のパートナーシップ・プロジェクト（３ＧＰＰ＝3rd Generation Partnership Project）をベースとしている移動無線ネットワークの所謂「回線交換ドメイン」（Circuit Switched（＝ＣＳ） Domain）の他に、音声およびビデオ電話に対する所謂ＩＰマルチメディアサブシステム（IP Multimedia Subsystem＝ＩＭＳ）も利用することができ、かついわゆる該当するサービスの所謂「インターワーキング」、すなわち使用のシグナリングおよびデータの使用のトランスポートフォーマットの適当な変換を用いた、ＩＭＳとＣＳドメインとの間でのサービスの接続が必要である。ＩＭＳは３ＧＰＰ"Global System for Mobile Communications"（＝ＧＳＭ）および"Universal Mobile Telecommunications System"（＝ＵＭＴＳ）アクセスネットワークの他に、別のアクセスネットワーク、例えば"Wireless Local Area Network"（＝ＷＬＡＮ）および"Digital Subscriber Line"（＝ＤＳＬ）に対しても使用される。まさにこのようなシナリオにおいてまず、音声およびビデオ電話がＩＭＳを介して行われることを期待できる。ビデオ電話は公衆電話網、すなわち所謂"Public Switched Telephone Network"（ＰＳＴＮ）においても利用することができ、その際ここでは通例、トランスポートおよびシグナリングに対して、３ＧＰＰ  ＣＳドメインの場合のように同じ帯域内（イン・バンド（＝Ｉｎ−ｂａｎｄ））ビデオ電話固有のプロトコルが利用される。ＰＳＴＮの場合にも、ＩＭＳに対するインターワーキングが必要である。
【０００３】
これまではＩＭＳとＣＳドメインまたはＰＳＴＮ間のインターワーキングは音声電話に対してのみ標準において記述されているにすぎない。本発明は、別のサービスに対する、殊にマルチメディアサービス、例えばビデオ電話に対する相応のインターワーキングに関する。この必要性は予測できる。というのは、３ＧＰＰ  ＣＳドメインにおいてもＩＭＳ、ここではＷＬＡＮまたはＤＳＬのようなアクセスネットワーク、もしくは新たに成っているネットワークアクセスオプション（例えば Worldwide Interoperability for Microwave Access（ＷｉＭＡＸ）に対して特別に、ビデオ電話は重要な意味を持ってきているからである。
【０００４】
ＩＭＳおよびＣＳネットワーク間、つまりＰＳＴＮまたは３ＧＰＰ  ＣＳドメイン間のインターワーキングは、３ＧＰＰ  Ｒｅｌｅａｓｅ６以降、３ＧＰＰ  ＴＳ  ２９．１６３において音声電話に対してのみ規定されている。ＴＳ  ２９．１６３に従って、所謂「コール・コントロール」（"Call-Control"）シグナリングのインターワーキングが所謂「メディア・ゲートウェイ・コントロール機能」（"Media Gateway Control Function"（＝ＭＧＣＦ））において行われる。ペイロード・コネクションのインターワーキング、つまり有効もしくはペイロードデータの先送りもしくはトランスファおよび再パッキング並びに必要とあればコード変換もしくはトランスコーディングが所謂「インターネットマルチメディア−マルチメディア・ゲートウェイ」（"Internet Multimedia - Multimedia Gateway"＝ＩＭ−ＭＧＷ）において行われる。ＭＧＣＦはＩＭ−ＭＧＷをＩＴＵＥ−Ｔによって標準化されたＨ．２４８プロトコルを用いて、３ＧＰＰ  ＴＳ  ２９．３３２において後で説明するように、所謂"Ｍｎ"インタフェースを介してコントロールする。
【０００５】
ＣＳネットワークにおいて、ベアラ・インディペンダント・コール・コントロール（Bearer Independent Call Control＝ＢＩＣＣ）（ＩＴＵ−Ｔ＝International Telecommunication Union - Telecommunication Standardization Sector）Ｑ．１９０２．ＸまたはＩＳＤＮユーザ・パート（ＩＳＵＰ＝ISDN User Part）（ＩＴＵ−ＴＱ７６１ｆｆ参照）が「アウト・オブ・バンド」（"out-of-band"）コール・コントロール・シグナリングのために使用される。コール・コントロール・シグナリングがトランスポートコネクションから分離してガイドされる場合、この方法は"out-of-band"シグナリングとも称される。成り行きにおいては、トランスポートコネクション内で、"in-band"シグナリングと称されるシグナリングメッセージを交換する可能性もある。ＩＳＵＰの場合、時分割多重（Time Division Multiplex＝ＴＤＭ）がＣＳネットワークにおけるトランスポートとして利用され、かつＢＩＣＣの場合、インターネット・プロトコル（Internet Protocol＝ＩＰ）または非同期転送モード（Asynchron Tranfer Modus＝ＡＴＭ）を用いてパケットトランスポートが利用される。純然たる音声電話が使用されるかビデオ電話が使用されるかの取り決めは、ＩＳＵＰに対して、コール・コントロールの間、会話を確立するためのシグナリングは所謂ＩＳＵＰ「ＵＤＩ  フォールバック」（"UDI Fallback"）プロシージャを用いて行うことができる。ＢＩＣＣに対してこの取り決めは、３ＧＰＰ  ＴＳ２３．１７２において標準化された「サービス・チェンジおよびＵＤＩ  フォールバック」（"Service Change and UDI Fallback"＝ＳＣＵＤＩＦ）を用いて行うことができる。これは会話の期間に、音声電話とビデオ電話との切換を可能にするものである。"UDI Fallback"もＳＣＵＤＩＦもアウト・オブ・バンドシグナリングを利用する。その他に、ＢＩＣＣのようなＩＳＵＰに対して、上述したプロシージャを使用せず、かつコールの確立をビデオ電話に対してのみ試行し、かつビデオ電話が支援されない場合には、コールの確立を中断することもできる。音声とビデオとの選択的な取り決めとは異なって、ビデオ電話に対して使用される音声およびビデオのＣＯＤＥＣの取り決めは、既にその前にビデオ電話が選択されかつ相応のトランスポートコネクション（英語「ベアラ」（"Bearer"））が確立された後では、"in-band"で行われる。ビデオ電話に対してＣＳネットワークにおいて、６４ｋｂｙｔｅ／ｓ帯域幅を有する所謂ＢＳ３０データコネクションが使用される。このデータコネクション内に、ＩＴＵ−Ｔによって標準化されたプロトコルスイーツＨ．３２４が使用され、その際３ＧＰＰ  ＣＳドメインにおいて、移動無線に整合された変形形態Ｈ．３２４Ｍが選択される。この場合データコネクションの確立後、マルチメディア・コネクションのコンフィギュレーションはイン・バンドで、ＩＴＵ−Ｔによって標準化されたＨ．２４５プロトコルを介して取り決められる。特別に、使用されるビデオＣＯＤＥＣおよび音声ＣＯＤＥＣおよびそれぞれのＣＯＤＥＣコンフィギュレーションの詳細。音声およびビデオ並びにシグナリングデータはＨ．２２３プロトコルを用いて同一のトランスポートコネクションにおいて多重化もしくはマルチプレキシングされる。３ＧＰＰ  ＣＳドメインに対して、ＴＳ２６．１１０はプロトコルスイ���ツもしくはプロトコルシリーズＨ．３２４の使用を更に記述し、その際殊に、所謂Ｈ．３２４Ｍコンフィギュレーションが選択される。
【０００６】
３Ｇ−３２４Ｍコネクションの確立の際（英語「セッション」（"session"）に最も重要なシーケンスは次の通りである：
１．  ＩＳＵＰまたはＢＩＣＣ呼び確立シグナリングのスタートの後、所望の"Bearer"に対して必要とされる必要なリソースのリザーブおよびそれからトランスポートコネクションの確立が行われる。
２．  "in-band"取り決めのスタート。まず、このトランスポートコネクションに対してどのＨ．２２３「マルチプレクサ・レベル」（"Multiplexer Level"）を使用できるかの取り決め。
３．  必要の場合に、Ｈ．２４５取り決めを用いてマルチストリーム・コネクションを開始するリード端末装置の識別。この機能は、双方向の論理チャネル（＝logical channel）の開放の際にコンフリクトを来たす場合にだけ必要である。この機能は「マスターまたはスレーブ決定」（"Master or Slave determination＝ＭＳＤ"）と称される。
４．  所謂「ターミナル・ケイパビリティ・セット("Terminal Capability Set")Ｈ．２４５通信を用いて、通信を送信する端末装置の能力もしくはケイパビリティが伝送される。この種のメッセージは２つの端末装置に無関係に送信される。これらの記述されたケイパビリティは次の情報を含んでいる：オーディオおよびビデオＣＯＤＥＣおよびその固有の特性もしくはそのバリエーション。マルチプレクサの機能範囲、詳細にはいずれの適合レイヤが支援されるか（例えば"simple"（＝単一）または"nested"（＝交錯形成されている）およびその移動固有の拡張。
５．  Ｈ．２４５シグナリングを用いたメディアストリーム毎の「論理」（"logische"）チャネルの確立。この時点から、ＭＳＤのあるなしに関わりなく、端末装置もしくはＩＭ−ＭＧＷは、"logical channel"を開放して、音声データおよび／またはビデオ有効データの交換が可能になるように用意する。双方向の"logical channel"の形成の際に、チャネル番号（＝channel number）および最終的に使用されるべき「メディア・ケイパビリティ」（＝media capabilities）が確定される。
６．  Ｈ．２４５を用いたマルチプレクス特性の定義。
７．  ビデオ、オーディオ／音声またはデータの伝送のスタート。
【０００７】
ＩＭＳにおいて、所謂「セッション記述プロトコル」"Session Description Protocol＝ＳＤＰ"、所謂"Session Initiation Protocol＝ＳＩＰ"、ＩＥＴＦ  ＲＦＣ  ３２６１を用いて搬送されるＩＥＴＦ（Internet Engineering Task Force）ＲＦＣ（Request for Comment）２３２７を用いて、"out-of-band"で行われる。この場合、音声電話が使用されるか、ビデオ電話が使用されるかの取り決めは、使用のＣＯＤＥＣの取り決めに結び付いており、かつベアラの確立の前またはその期間に行われる。ＲＦＣ３２６４に従った所謂ＳＤＰ「オファー・アンサー」（"offer-answer"）メカニズムが使用される。この場合提供側はＳＤＰ「オファー」（"offer"）通信において支援されたＣＯＤＥＣのリストを送信する。この通信を受け取ると、応答側はＳＤＰ「応答」（"answer"）通信を送信する。この通信には、このサイドも支援しておりかつ利用しようとする、リストからのＣＯＤＥＣが含まれている。応答側は、ＳＤＰ「オファー」（"offer"）のリストに含まれていなかったＣＯＤＥＣを提供することは許されない。ＣＳドメインとは異なって、音声およびビデオに対して、それぞれ所謂「リアル・タイム・トランスポート・プロトコル」（"Real Time transport Protocol＝ＲＴＰ"）を使用する２つの別個のトランスポートコネクション（英語"Bearer"）が利用される。ジェネラル・パケット・ラジオ・サービス（General Packet Radio Service＝ＧＰＲＳ）アクセスネットワークを介する３ＧＰＰ  ＩＭＳに対して、３ＧＰＰ  ＴＳ２６．２３５はビデオ電話に対して使用されるべきＣＯＤＥＣを記述する。
【０００８】
以下に、ＣＳドメインのサイドおよびＩＭＳのサイドにおいてビデオ電話に対して使用されるプロトコルおよびＣＯＤＥＣについてもう一度まとめる：
ＣＳネットワーク（殊に３ＧＰＰ  ＣＳドメイン）：
コール・コントロール：ＢＩＣＣまたはＩＳＵＰ
純然たる音声電話とビデオ電話との取り決めはＩＳＵＰに対して"UDI Fallback"を用いておよびＢＩＣＣに対して"ＳＣＵＤＩＦ"を用いて行うことができる。
マルチメディア・プロトコルスイーツ：ＩＴＵ−Ｔ  Ｈ．３２４Ｍ（ＩＴＵ−Ｔ  Annex C）：
ＣＯＤＥＣ取り決め：６４ｋｂｉｔ／ｓ（毎秒につきキロビット）を有する確立されたＣＳベアラを介するＩＴＵ−Ｔ  Ｈ．２４５イン・バンドの取り決め。
ビデオＣＯＤＥＣ：Ｈ．２６３の支援が規定されている
ＩＴＵ−Ｔ  Ｈ．２６１  選択的
ＭＰ４Ｖ−ＥＳ（シンプル・ビデオ・プロファイル・レベル０）  選択的
音声ＣＯＤＥＣ：ＮＢ−ＡＭＲ（Narrow Band Adaptive MultiRate）の支援が規定されている
ＷＢ−ＡＭＲ（Wide Band AMR）  選択的
ＩＴＵ−Ｔ  Ｇ．７２３．１  推奨
トランスポート：ＩＴＵ−Ｔ  Ｈ．２２３  Ａｎｎｅｘ  Ａ＋Ｂに従ったベアラにおける音声およびビデオの多重化
ＩＭＳ（ＧＰＲＳ（General Packet Radio Service）アクセスネットワークに対するＣＯＤＥＣ）：
コール・コントロール：ＳＩＰ
純然たる音声電話とビデオ電話の間の取り決め、並びにＣＯＤＥＣ取り決めを含んでいる。
ＣＯＤＥＣ取り決め：ベアラの確立の前に、ＳＩＰにおいて搬送されるＳＤＰを用いてアウト・オブ・バンドで
ビデオＣＯＤＥＣ：Ｈ．２６３の支援が規定されている
ＩＴＵ−Ｔ  Ｈ．２６４  選択的、
ＭＰ４Ｖ−ＥＳ（シンプル・ビデオ・プロファイル・レベル０）  選択的
音声ＣＯＤＥＣ：ＮＢ−ＡＭＲおよびＷＢ−ＡＭＲの支援が規定されている。
トランスポート：次のものを使用した音声およびビデオに対する２つの分離されたＲＴＰベアラ
種々の所謂ＲＴＰ"Payload"
フォーマット：
音声：ＮＢ−ＡＭＲ＋ＷＢ−ＡＭＲ：    ＩＥＴＦ  ＲＦＣ  ３２６７
ビデオ：Ｈ．２６３：                  ＩＥＴＦ  ＲＦＣ  ２４２９
Ｈ．２６４（ＡＶＣ）：    ＩＥＴＦ  ＲＦＣ  ３９８４
ＭＰＥＧ−４：            ＩＥＴＦ  ＲＦＣ  ３０１６
並列なＲＴＰメディアストリームの同期は、「リアル・タイム・コントロール・プロトコル」（"Real Time Control Protocol＝ＲＴＣＰ"）（ＩＥＴＦ  ＲＦＣ  ３５５０参照）によって取り決められる所謂ＲＴＰ「タイムスタンプ」（"timestamp"）を用いて行われる。
【０００９】
しかしここに挙げたＣＯＤＥＣの他にまたはそれに代わって、ＣＳ端末装置がＰＳＴＮに存在しているまたはＩＭＳ端末装置アクセスネットワークとしてＧＰＲＳを利用しないとき殊に、別のＣＯＤＥＣも端末装置によって支援されるようにすることができる。
【００１０】
音声電話のみの場合のインターワーキングの際に、２つのネットワークにおいて１つのアウト・オブ・バンドシグナリングが利用される。これにより、２つのデータ伝送ネットワークの境界でのシグナリングプロトコルの変換を比較的に簡単に行うことができる。その理由は、すべてのシグナリング通信は簡単な形式で１つのユニットにまとめることができるからである。これに対してＣＳにおいてもしくはビデオ電話の場合、ＩＭ−ＭＷＧによって受信されるイン・バンドシグナリングが使用され、一方ＩＭＳにおいて、ＭＧＣＦによって受信されるアウト・オブ・バンドシグナリングが使用される。
【００１１】
しかし別のマルチメディアサービスまたは別のサービスにおいても、２つのデータ伝送ネットワーク間でシグナリングを合併するという問題が発生する。
【００１２】
本発明の課題は、２つの異なっているデータ伝送ネットワーク間のシグナリングの簡単な方法を提供することである。殊に本発明の課題は、第１のデータ伝送ネットワークにおいて、シグナリングはイン・バンドで、２つの端末装置間または端末装置グループの間のデータ伝送サービスに配属されているトランスポートコネクションにおいてネットワーク移行ユニット（例えばＩＭ−ＭＧＷ）によって受信されるまたは送信され、一方第２の伝送ネットワークにおけるシグナリングはアウト・オブ・バンドで、第１のネットワークユニットと通信を交換する制御ユニット（例えばＭＧＣＦ）において受信されるまたは送信されるという、２つの異なったデータ伝送ネットワーク間のシグナリングをインターワーキングするための簡単な方法を提供することである。更に、所属のユニットを提供したい。
【００１３】
方法に関連する課題は、請求項1に記載された方法ステップを有する方法によって解決される。有利な実施形態は従属請求項に記載されている。
【００１４】
本発明の方法は冒頭に述べたステップに対して付加的に次のステップを含んでいる：
−  ネットワーク移行ユニットにおいて有利には受信されたデータの値を用いてシグナリングデータおよび有効データを分離し、
−  受信されたシグナリングデータを変化されていない形においてネットワーク移行ユニットから制御ユニットに転送し、
−  制御ユニット（ＭＧＣＦ）において選択的に、シグナリングデータによって、第１のシグナリング方法に従って確定されたシグナリング通信に基づいて、少なくとも１つのシグナリング通信を第２のシグナリング方法に従って生成し、かつ
−  ネットワーク移行ユニットにおいて有効データを第１のデータ伝送ネットワークから第２のデータ伝送ネットワークに転送する。
【００１５】
殊に、シグナリング通信の値に基づいた自動的な分離によって、転送のための簡単な決定を行うことができる。このことは、２つのデータ伝送ネットワーク間の境界でのシグナリングに対して影響を及ぼすための多数の形態に対する前提である。シグナリング通信を変化せずに転送することにより、殊に外部の制御ユニットを使用することができる多数の新しい用途が可能になる。
【００１６】
データ伝送コネクションは発展形態において、物理的なデータ伝送に対するプロトコル層の上に存在するプロトコルレベル上でのコネクションである。データ伝送コネクションは次の発展形態においてシグナリング通信を用いて確立されかつ再び解除される。その際データ伝送コネクションに固有の識別符号が割り当てられる。例えばデータ伝送コネクションは論理チャネル、すなわちより上位のプロトコルレベル上でのコネクションである。
【００１７】
発展形態において、データ伝送コネクションは少なくとも２つの異なった種類の有効データ、殊に音声データおよびビデオデータを伝送するために用いられる。この関係においてマルチメディアについても同じことが言える。
【００１８】
分離は発展形態において受信されたデータの値を用いて、殊にこれらデータの読み出しおよび引き続く、参照データとの比較によって実施される。
【００１９】
本発明の方法の発展形態において第１のシグナリング方法は、シグナリングデータおよび有効データが同じ伝送区間を介して伝送されるシグナリング方法、すなわち所謂イン・バンド法である。これに対して第２のシグナリング方法は、シグナリングデータが有効データとは別の伝送区間を介して伝送されるシグナリング方法、すなわちアウト・オブ・バンド法である。にも拘わらず、これら発展形態により、シグナリングデータは２つのデータ伝送ネットワーク間で転送することができる。
【００２０】
本発明の方法の別の発展形態において第１のデータ伝送ネットワークは回線交換式データ伝送ネットワーク、ＩＰ（Internet Protokoll）に従ったデータ伝送が行われるデータ伝送ネットワークまたはＡＴＭ（Asynchronous Transfer Mode）伝送ネットワークである。回線交換式データ伝送ネットワークは例えば、ＰＳＴＮ（Public Switching Telefone Network）、ＩＳＤＮ（Integrated Services ）、ＰＬＭＮ（ＧＳＭ（Global System for Mobile Communications）Public Land Mobile Network）または３ＧＰＰ  ＣＳ  ドメインである。これに対して第２のデータ伝送ネットワークは、インターネット・プロトコルに従って動作する、すなわちＩＥＴＦ（Internet Engineering Task Force）のインターネット・プロトコルに従って有効データが伝送されかつ殊にＳＩＰに従ってシグナリングされるデータ伝送ネットワーク、例えばＩＭＳである。
【００２１】
本発明の方法の発展形態において、シグナリングデータはシグナリングデータパケットにおいて伝送されかつ有効データは有効データパケットにおいて伝送される。分離は、データ伝送コネクションを介してもしくはトランスポートコネクションを介して伝送される部分データ流を指示しているＨ．２２３マルチプレックスコード識別符号に基づいて実施される。シグナリングに対しては、Ｈ．２２３に従って、値０を有するマルチプレックスコードが使用される。
【００２２】
本発明の方法の次の発展形態において次のステップが実施される：
−  シグナリングデータを外部伝送区間を介して制御ユニットに転送し、かつ
−  該制御ユニットにおいて第２のシグナリング方法に従ってシグナリング通信を生成する。
これによりネットワーク移行ユニットおよび制御ユニットは相互に別個に製造することができる。所在地の選択の際にも、ネットワーク移行ユニットおよび制御ユニットが例えば同じケーシングに収容されておりかつ同じ電源部によって電流が供給される実施形態に比べて比較的大きな自由度が生じる。
【００２３】
別の発展形態において、制御ユニットはＢＩＣＣまたはＩＳＵＰに従ったシグナリング通信を有するシグナリングデータも処理する。これにより制御ユニットは複数のシグナリングプロトコルの処理に対して適しておりかつ一層ユニバーサルに使用可能である。
【００２４】
別の発展形態において、制御ユニットとネットワーク移行ユニットとの間で、標準ＩＴＵ−Ｔ  Ｈ．２４８もしくはＭＥＧＡＣＯに従ったまたはＩＥＴＦのＭＧＣＰ（Media Gateway Control Protocol）に従ったシグナリング通信が伝送される。しかし、異なっている製造業者のユニットの協働を可能にする別のプロトコルも適している。
【００２５】
本発明の方法の発展形態において次のステップが実施される：
−  制御ユニットにより転送もしくは分離が行われるようにする。
これにより自動的におよび選択的に分離が行われるようにすることができ、その場合に種々のコンフィギュレーションも調整設定可能である。
【００２６】
制御ユニットは１つの発展形態において、転送されるべきであることを指示する識別符号（例えば H245Signalling）を含んでいるＨ．２４８通信の送信により転送が行われるようにする。識別符号は殊にＨ．２４８イベント識別符号、例えば"H2455Signalling"のようなイベント名もしくは出来事名である。別の発展形態において、ネットワーク移行ユニットは、転送されるべきシグナリング通信をパラメータとして含んでいるＨ．２４８通知リクエスト（Notify-Request）通信を備えたシグナリング通信を転送する。このパラメータは１つの発展形態において、識別符号（例えば H245Signalling）が、通信は転送されることを指示しているＨ．２４８イベントのパラメータである。これによりこの段落でまず述べたＨ．２４８通信の場合と同じ識別符号が使用される。これら通信の使用により、Ｈ．２４８標準は僅かに拡張されればよくかつ僅かなシグナリング通信だけが必要である。
【００２７】
本発明ではシグナリングデータはネットワーク移行ユニットにより変更されずに制御ユニットに転送され、このことはトンネルもしくはカプセル化とも言われる。殊にネットワーク移行ユニットは、分離のために必要である読み出し過程を除けば、シグナリングデータを評価しない。ネットワーク移行ユニットは、それがシグナリングデータであるか否かだけを検査する。しかしネットワーク移行ユニットはどんなシグナリング通信であるかは求めない。
【００２８】
発展形態においてまず、制御ユニット（ＭＧＣＦ）は第１のシグナリング方法に従ったシグナリングを終了し、すなわち制御ユニットはシグナリングを終え、ここで１形態においては第２のシグナリング方法に従ったシグナリング通信も送信され、または制御ユニットは第１のシグナリング方法に従ったシグナリングを、例えば第２のシグナリング方法に従って受信されたシグナリング通信に基づいて開始する。
【００２９】
制御ユニットはネットワーク移行ユニットに別の発展形態において第１のシグナリング方法に従ったシグナリング通信をパラメータとして通信、例えばＨ．２４８通信における、殊にＨ．２４８修正リクエスト（Modify Request）通信において伝送し、その際Ｈ．２４８通信は、第１のシグナリング方法に従った通信がパラメータとして先送りもしくはトランスファされることを指示する識別符号（例えば、H245Message）を含んでいる。先送りされた通信は別の発展形態においてネットワーク移行ユニットから変化されずに第１のデータ伝送ネットワークにおける端末装置の側へ伝送される。この手法により、既に標準化された通信は殆ど変更される必要がない。
【００３０】
次の発展形態において、シグナリングデータおよび有効データはマルチプレックス方法に従って、殊に標準ＩＴＵ−Ｔ  Ｈ．２２３に規定されている方法に従ってネットワーク移行ユニットに伝送される。この種のマルチプレックス方法はマルチメディアデータ伝送に特別適しており、かつこれにより、個々のマルチメディアチャネルにおけるそれぞれのデータ量に整合されている伝送が可能になる。つまり、有効データ伝送の前のみならず、その期間にもマルチプレクシングを変更するためにシグナリングデータを伝送することができる。有効データは殊に、音声データ、画像データ、ビデオデータ、テキストデータ、プログラムデータなどである。
【００３１】
制御ユニットはネットワーク移行ユニットを制御して、１発展形態において、Ｈ．２２３マルチプレックスレベルの取り決めが、有利には、マルチプレックスの取り決めが開始されるべきであるということを指示しているＨ．２４８信号識別符号（例えば、H223MultiplexingLevelNegotiation）を含んでいるＨ．２４８通信の送信によって開始されるようにする。
【００３２】
次の発展形態において制御ユニットはネットワーク移行ユニットを制御して制御ユニットに、取り決められたマルチプレックスレベルの値が指示されている通信が、殊にマルチプレックスレベルの値が制御ユニットに伝送されるべきであることを指示している識別符号（例えば、H223Establishment）、殊にＨ．２４８イベント識別符号を含んでいるＨ．２４８通信の送信により送信されるようにする。マルチプレックスレベルの値はマルチプレックス方法の複雑さに対する尺度である。別の発展形態において、ネットワーク移行ユニットは制御ユニットにＨ．２２３マルチプレックスレベルの取り決め後に、マルチプレックスレベルの値をＨ．２４８通信において、殊にＨ．２４８ノティファイ・リクエスト通信において伝送する。制御ユニットは１つの実施形態において取り決められたマルチプレックスレベルの値を有する通信の受信に基づいてもしくはこの種の通信の不在に基づいて、マルチメディアコネクションが実現されているか、殊にビデオ電話コネクションが実現されているかどうかを検出する。
【００３３】
択一的にまたは付加的に、第１のシグナリング方法は、特別大幅に拡張されているプロトコルＩＴＵ−Ｔ  Ｈ．２４５に従った方法である。しかし別の適当な方法も使用される。第２のシグナリング方法は１つの発展形態において、ＳＩＰシグナリング方法または同価のシグナリング方法である。
【００３４】
発展形態において、制御ユニットは第１のシグナリングプロトコルに従ったシグナリング通信の生成の際に、有利にはＨ．２４５に従った TerminalCapabilitySet 通信の生成の際にネットワーク移行ユニットの特性を考慮する。これにより、ネットワーク境界での有効データ伝送を最適に調整設定することができることになる。
【００３５】
次の発展形態において次のステップが実施される：
−  ネットワーク移行ユニットにおいて、第１のデータ伝送ネットワークと第２のデータ伝送ネットワークとの間の境界で制御ユニットから第１の伝送区間を介して到来するシグナリングデータを受信し、
−  ネットワーク移行ユニットにおいて、第２の伝送区間を介する第２のデータ伝送ネットワークからの有効データを受信し、ここで有効データはシグナリングデータに関連しており、
−  ネットワーク移行ユニットにおいて、受信したシグナリングデータおよび受信された有効データを同じ伝送区間を介して、殊に同じデータ伝送コネクションにおいて送信する。
こうしてネットワーク移行ユニットは、シグナリングデータの、別の伝送方向での転送のためにも効果的に利用される。
【００３６】
本発明は第２の観点において更に、次のステップを有している、シグナリングデータを制御ユニットに転送するための方法に関する：
−  第１のシグナリング方法による第１のデータ伝送ネットワーク（ＣＳ）と第２のシグナリング方法による第２のデータ伝送ネットワークとの間でシグナリングデータを伝送するために用いられる制御ユニットにおいて、第１のシグナリング方法に従ってシグナリングデータを受信し、ここで第１のシグナリング方法は、２つの端末装置（ＭＳ１，ＭＳ２）間または端末装置グループ間のデータ伝送サービスに対して第１のシグナリング方法に従ったシグナリングデータおよび有効データが伝送されるシグナリング方法であり、かつ第２のシグナリング方法は、シグナリングデータおよび有効データが相互に異なっている伝送区間を介して伝送されるシグナリング方法であり、
−  有利には、シグナリングデータにより確定された、第１のシグナリング方法によるシグナリング通信に基づいて、第２のシグナリング方法に従って１つのシグナリング通信または第２のシグナリング方法に従って複数のシグナリング通信を制御ユニットにおいて生成する。
第２の観点によるこの方法は第１の観点による方法と密接に関連しているので、上述した利点が同様に得られる。
【００３７】
第２の観点による方法の発展形態において次のステップが実施される：
−  制御ユニットによりネットワーク移行ユニットからシグナリングデータが送信されるようにし、ここでネットワーク移行ユニットはシグナリング通信に関する有効データを第１のデータ伝送ネットワークおよび第２のデータ伝送ネットワーク間で転送する。ここでも上に述べた利点、殊に制御ユニットによるネットワーク移行ユニットのフレキシブルな制御を指摘しておく。
【００３８】
第２の観点による方法の別の発展形態において次のステップが実施される：
−  制御ユニットにおいて、第２のシグナリング方法によりシグナリングデータを受信し、
−  受信されたシグナリングデータにより第２のシグナリング方法により確定されたシグナリング通信に基づいて、第１のシグナリング方法に従ってシグナリング通信を生成する。これにより制御ユニットは２つの伝送方向において動作しかつ制御ユニットにおける回路ユニットは多重に利用される。
【００３９】
本発明は更に、第１の観点またはその発展形態の１つに従って方法を実施するのに殊に適しているネットワーク移行ユニットに関する。従って上述の技術的作用は本発明のネットワーク移行ユニットに対しても当てはまる。
【００４０】
本発明は更に、第１の、だが殊に第２の観点に従って方法を実施するのに殊に適している制御ユニットに適しており、同様に上に挙げた技術的な作用が当てはまる。
【００４１】
以下では本発明の実施例を概略的な図面に基づき説明する。その際：
図１は典型的なネットワークコンフィギュレーションを示し、
図２は制御ユニットおよびネットワーク移行ユニットに対するブロック線図を示し、
図３は制御ユニットおよびネットワーク移行ユニットのシグナリング通信を示し、かつ
図４はビデオ電話通話に対するコンテキストを示している。
【００４２】
例えば、ＣＳサイドにおいておよびＩＭＳにおいて同じビデオＣＯＤＥＣおよび可能ならば同じＣＯＤＥＣを使用して、トランスコーディングが回避されるようにすることが望ましい。殊にビデオＣＯＤＥＣの、また比較的僅かな範囲とはいえ音声ＣＯＤＥＣのトランスコーディングにはＩＭ−ＭＧＷにおいて著しい計算出力とリソースが必要になってくる。更に伝送は遅延されかつ画像もしくは音声の品質は劣化される。ＣＳドメインサイドおよびＩＭＳにおいてＣＯＤＥＣに対して必要なバンド幅が異なっているとき、一方のサイドにおいて、これにより画像または音声品質が改善されることなく、付加的なバンド幅が使用されることになる。
【００４３】
このために例えば、ＭＧＣＦおよびＩＭ−ＭＧＷが適当な情報を交換することが必要である：
−  例えば、Ｈ．２４５およびＳＩＰ／ＳＤＰを用いた音声およびビデオＣＯＤＥＣの取り決めに関するおよびＨ．２２３を用いたトランスポートコネクションの確立に関する情報。
【００４４】
例えばＨ．２４５を用いた音声およびビデオＣＯＤＥＣの取り決めおよびＭＧＣＦおよびＩＭ−ＭＧＷ間の例えばＨ．２２３を用いたトランスポートコネクションの確立に関する適当な情報を交換するための方法が本発明の実施例の対象である。これにより、例えばビデオ電話に対するトランスコーディングが大幅に回避される。ＭＧＣＦおよびＩＭ−ＭＧＷはＣＳネットワークを、つまり例えばＰＳＴＮまたは３ＧＰＰ  ＣＳドメイン、並びにＣＯＤＥＣを取り決めるためにＳＩＰおよびＳＤＰを使用するＩＰネットワーク、つまり例えばＩＭＳを結合する。しかし別の実施例においてトランスコーディングは実施される。
【００４５】
所謂"H.245 Client"、つまりＨ．２４５プロトコルを終端する機能ユニットがＭＧＣＦに存在している。このことは有利である。というのは、Ｈ．２４５ Client はこれにより簡単に内部インタフェースを介してＣＯＤＥＣの選択および呼び確立のシーケンスに関する情報をいわゆる「コール・コントロール」（"Call Control"）を行う機能構成要素によって、有利にはＩＭＳのサイドでＳＩＰおよびＳＤＰの処理を行う単数または複数の機能的な構成要素によって交換することができるからである。
【００４６】
実施例の中心思想は、ＣＳネットワークから受信されたＨ．２４５通信がＩＭ−ＭＧＷによってＨ．２２３プロトコルから取り出されかつそれからＩＭ−ＭＧＷにおいてトランスペアレントに、すなわち変えられずにしかも内容の必要な解釈なしに、Ｈ．２４８プロトコルに挿入されてＭｎインタフェースを介して先送りされることである。同様に、Ｈ．２４５通信はＭＧＣＦにおいて生成されかつＨ．２４８プロトコルに挿入されてＩＭ−ＭＧＷに送信される。ＩＭ−ＭＧＷはこの通信をＨ．２４８プロトコルから取り出しかつそれを今度はトランスペアレントにＨ．２２３プロトコル内に挿入する。
【００４７】
呼び確立の際に、ＭＧＣＦはＩＭ−ＭＧＷを、それがＨ．２４５通信を受信しかつ受信されたＨ．２４５通信を処理せずに先送りするもしくはカプセル化するようにコンフィギュレーションする。有利にはＩＭ−ＭＧＷはこのために、新たに標準化されるべき、所謂Ｈ．２４８「イベント」（"Event"）を利用する。これはＭＧＣＦに、ＭＧＣＦがマルチプレックスされたＨ．２２３プロトコルの処理を権限を持って行う所謂「ターミネーション」（"Termination"）をセットアップするときに、指示もしくは指定する。ＩＭ−ＭＧＷが次いで１つまたは複数のＨ．２４５通信を受信するとき、ＩＭ−ＭＧＷは本発明によれば所謂Ｈ．２４８「通知もしくはノティファイ」（"Notify"）通信を利用する。ここにおいて、ＩＭ−ＭＧＷは新たに定義された「イベント」（"Event"）を指示しかつイベントのパラメータとしてＨ．２４５通信を指示する。
【００４８】
１つまたは複数のＨ．２４５通信をＩＭ−ＭＧＷに送信するために、ＭＧＣＦは有利には所謂Ｈ．２４８「修正もしくはモディファイ」（"Modify"）通信を利用し、ここにＭＧＣＦは有利には新たに標準化されるべき所謂Ｈ．２４８「シグナル」（"Signal"）を挿入しかつこの信号のパラメータとしてＨ．２４５通信を指示する。
【００４９】
ＭＧＣＦがコール・コントロール・シグナリジングから、ＣＳサイドでＨ．３２４に従ったビデオ電話が所望されていることを識別するまたは推定するとき、ＭＧＣＦはＩＭ−ＭＧＷにまず、Ｈ．２２３プロトコルを処理するための所謂"Termination"をコンフィギュレーションする。"Termination"の詳細な意味に関しては、Ｈ．２４８が参照される。ＭＧＣＦはＩＭ−ＭＧＷに、所謂「マルチプレックスレベル」（"Multiplex Level"）のＨ．２２３処理を独自に実行しかつそれに処理の終了後に取り決められたレベルを通報することを指示する。ＭＧＣＦは一方において得られた情報を利用して、続いて、ＭＧＣＦによって生成されたＨ．２４５「ターミナル・ケイパビリティ・セット」（"Terminal Capability Set"）通信において具体的な指示が行われるようにする。他方において、ＭＧＣＦは通報が行われなければ、ＣＳ側のトランスポートコネクションがビデオ電話に対して利用されないまたはまだ利用されずかつこれに基づいてコール・コントロール・シグナリジングにおいて、例えば音声電話またはコネクションの終了の場合とは別のサービスに呼びを再コンフィギュレーションによって応答する。
【００５０】
有利には、ＭＧＣＦはＨ．２４「アド」（"Add"）または「モディファイ」（"Modify"）通信内の新たに標準化されるべき所謂Ｈ．２４８「シグナル」（"Signal"）を利用して、ＩＭ−ＭＧＷが"Multiplex Level"のＨ．２２３処理を開始するように要求する。有利にはＩＭ−ＭＧＷは同じ通信内の新たに標準化されるべき所謂Ｈ．２４８「イベント」を利用して、ＭＧＣＦに、"Multiplex Level"に関する通報を行うように要求する。ＩＭ−ＭＧＷが次いでレベルを取り決めたとき、ＩＭ−ＭＧＷは、所謂Ｈ．２４８"Notify"通信を利用する。ここにおいてＩＭ−ＭＧＷ１は新たに定義された「イベント」を指示しかつイベントのパラメータとしてレベルを指示する。
【００５１】
"Multiplex Level"の処理が成功裡に終了した後、Ｈ．２２３プロトコルデータが送信されるようにすることができる。Ｈ．２４５コマンドメッセージおよびコントロールメッセージをこの初期の時点で固有のデータ・パケットにおいて伝送されるようにすることができる。このためにＨ．２４５メッセージは例えば所謂「ナンバード・シンプル・リトランスミッション・プロトコル」（"Numbered Simple Retransmission Protocol"＝ＮＳＲＰ）に挿入される。Ｈ．３２４によるＮＳＲＰ仕様によれば、最後に送信されたＮＳＲＰメッセージに対する応答（英語「アクノリッジメント」（"Acknowledgement"）が受信されなかった場合、新たなＨ．２４５メッセージが送信されることは許されない。Ｍｎインタフェースを介してＨ．２４５プロトコルがＮＳＲＰに挿入されてトランスポートされ、かつＭＧＣＦにおける"H.245 Client"がＭＳＲＰの終端をも責任を持って行うようにすると、有利である。
【００５２】
呼びの確立がＣＳネットワークのサイドからＩＭＳの方向における行われる場合、ＩＭＳから別のＭＧＣＦへのコネクション確立が転送されるようにすることができる。この場合、ＭＧＣＦがＩＭ−ＭＧＷを、それが例えば所謂「クリアモード」（"Clearmode"）ＣＯＤＥＣ、ＩＥＴＦ  ＲＦＣ  ４０４０を使用してＢＳ３０データサービスをトランスペアレントに先送りするように、コンフィギュレーションすると有利である。ＭＧＣＦは別のＭＧＣＦと交換されるＳＩＰ／ＳＤＰシグナリングを用いてデータサービスのトランスペアレントなトランスポートを取り決める。１つの実施例において、ＭＧＣＦは最初、ＢＳ３０サービスに対してのみＩＭ−ＭＧＷをコンフィギュレーションし、かつデータコネクションをまだスルーコネクションしない。ＭＧＣＦがＩＭＳのサイドから、選択されたＣＯＤＥＣに関するシグナリングを受けるや否や、ＭＧＣＦは、それがビデオ電話であるかどうかを識別することができ、かつこの場合にはＩＭ−ＭＧＷを、それがイン・バンドＨ．２２３取り決めをスタートするようにコンフィギュレーションする。これに対してトランスペアレントなトランスポートが選択される場合、ＩＭ−ＭＧＷの再コンフィギュレーションは必要ない。
【００５３】
Ｈ．２４５標準に従って、ＭＧＣＦは"H.245 Client"として、所謂Ｈ．２４５「ターミナル・ケイパビリティ・セット」（"Terminal Capability Set"）通信を生成しなければならない。これら通信は、ＩＭ−ＭＧＷおよびＭＧＣＦにおけるＨ．３２４エンド・ポイントで支援される、Ｈ．３２４プロトコルの機能を記述する。これには次の情報の少なくとも１つが含まれている：
・  オーディオおよびビデオＣＯＤＥＣおよびその固有の特性もしくはそのバリエーション
・  マルチプレクサの機能範囲、詳細にはいずれの適応層が支援されるか（例えばマルチプレキシングのネスティング深度、すなわち所謂「シンプル」（"simple"）または「ネスト化されたマルチプレクシング」（"nested Multiplexing"）およびその移動固有の拡張。
【００５４】
ＭＧＣＦはこれらの情報を用意するために、ＩＭ−ＭＧＷの能力を、つまり例えばどのＨ．２２３プロトコルオプション（例えばマルチプレキシングに対するネスティング深度）およびいずれのＣＯＤＥＣがＩＭ−ＭＧＷを支援するかを考慮しなければならない。ＭＧＣＦはこれら能力に関するコンフィギュレーションされた知識を有しているか、またはこれはこの能力を所謂Ｈ．２４８"AuditCapabilities"通信を用いてＩＭ−ＭＧＷに質問する。ＭＧＣＦは有利には、"Terminal Capability Set"において指示された能力の選択の際に、殊に指示されたＣＯＤＥＣを考慮して、ＳＩＰ／ＳＤＰシグナリングからの情報も考慮する。有利にはＭＧＣＦは、ＭＧＣＦによってもＩＭＳのサイドにおいても支援されて、トランスコーディングが回避されるようにするＣＯＤＥＣを選択する。
【００５５】
ＭＧＣＦが、受信されたＨ．２４５"Terminal Capability Set"通信に含まれている、ＣＯＤＥＣに関する情報をＳＩＰ／ＳＤＰシグナリングにおいて先送りするようにすれば有利である。
【００５６】
ＭＧＣＦが送信または受信する所謂Ｈ．２４５「オープン・ロジカル・チャネル」（"Open logical Channel"）通信を用いて、ＣＯＤＥＣおよびメディア流、例えばオーディオおよびビデオメディア流に対する論理Ｈ．２４５チャネルが確定されるや否や、ＭＧＣＦは本発明によれば、ＩＭ−ＭＧＷを、それがメディア流をＣＳネットワークのサイドとＩＭＳのサイドの間に差し出すようにコンフィギュレーションする。ＭＧＣＦは両サイドに対して、いずれのＣＯＤＥＣが選択されたかを指示する。両サイドにおいて同一のコンフィギュレーションにおける同一のＣＯＤＥＣが選択されたとき、ＩＭ−ＭＧＷはトランスコーダを使用する必要はない。
【００５７】
図１において、データ伝送ネットワーク４０の典型的なネットワークコンフィギュレーションが示されている。このコンフィギュレーションでは、３ＧＰＰ  ＣＳドメインに接続されている移動端末装置ＭＳ１がＩＭＳに接続されている移動端末装置ＭＳ２とコミュニケーションすることができるのを可能にする。ＣＳドメインは"Media Gateway Control Function"（＝ＭＧＣＦ）もしくは制御ユニットＭＧＣＦおよびＩＭＳメディア・ゲートウェイ（ＩＭ−ＭＧＷ）もしくはネットワーク移行ユニットＩＭ−ＭＧＷを用いてＩＭＳに接続されている。ＭＧＣＦはＩＭ−ＭＧＷをＩＴＵＥ−Ｔによって標準化されたＨ．２４８プロトコルを用いて所謂"Ｍｎ"インタフェースを介してＩＭ−ＭＧＷをコントロールする。ＣＳドメインのサイドにおいてコアネットワークにおいて所謂「移動スイッチングセンター（ＭＳＣ）サーバ（"Mobile Switching Center"＝ＭＳＣ）」もしくは交換ユニットＭＳＣが存在している。これらはＢＩＣＣシグナリングを介して相互に（インタフェースＮｃ参照）およびＭＧＣＦと（インタフェースＭＣ参照）コミュニケーションする。これらはそれぞれＣＳ  ＭＧＷをコントロールする。ＣＳ  ＭＧＷは相互におよび所謂"Ｎｂ"インタフェースを介してＩＭ−ＭＧＷに接続されている。ビデオ電話に対して所謂"ＢＳ３０"データトランスポートサービス（（英語では"Bearer Service"）が使用される。ＭＳ１は所謂無線アクセスネットワーク、例えばＵＴＲＡＮ（ＵＭＴＳ  Terrestrial Radio Access Network）を用いて、ＣＳ  ＭＧＷのＭＳＣサーバと接続されている。ＩＭＳのサイドで、ＭＧＣＦはインタフェースＭｇを介してＳＩＰ  コール・コントロール・プロトコルを用いて所謂"call session control functions"（ＣＳＣＦ）もしくは制御ユニットＣＳＣＦとコミュニケーションする。制御ユニットはインタフェースＧｍおよびゲートウェイ"ＧＰＲＳ support node"（ＧＧＳＮ）もしくはネットワークノードＧＧＳＮおよび無線アクセスネットワーク、例えばＵＴＲＡＮを介してシグナリングを移動端末装置ＭＳ２に先送りする。データはＩＭＳメディア・ゲートウェイからＭｂインタフェースを介してＧＧＳＮにトランスポートされ、ＧＧＳＮはデータを同様にラジオアクセスネットワークを介してＭＳに先送りする。
【００５８】
図２には、ＭＧＣＦおよびＩＭ−ＭＧＷにおけるブロック線図もしくは機能的なキー構成要素が図示されている。所謂Ｈ．２４５ Client ５０，つまりＨ．２４５プロトコルを終端する機能ユニットはＭＧＣＦに存在しておりかつ内部のインタフェースを介してＣＯＤＥＣおよび呼び確立のシーケンスに関する情報を所謂「コール・コントロール」（"Call Control"）を行うことになっている機能的な構成要素もしくは呼び制御ユニット５２と、有利にはＩＭＳのサイドにおいてＳＩＰおよびＳＤＰの処理を行うことになっている単数または複数の機能的な構成要素と交換する。ＣＳサイドからＨ．２２３プロトコル内で受信されたＨ．２４５通信は、ＩＭ−ＭＧＷにおけるＨ．２２３マルチプレクサ／デマルチプレクサ６０から、トランスポートに対する通信をＨ．２４８プロトコルを用いてパッケージにする、ＩＭ−ＭＧＷにおけるＨ．２４５カプセル化／カプセル解除ユニット、およびＭｎインタフェースを介してＨ．２４５ Client ５０に先送りされる。
【００５９】
Ｈ．２４５ Client ５０はＨ２２３プロトコルに関する情報もＨ．２２３マルチプレクサ／デマルチプレクサ６０と交換する。ＩＭ−ＭＧＷにおいて、オーディオおよびビデオに対する所謂"Media streams"が分離されて処理される。ＩＭＳサイドおよびＣＳサイドで選択されたオーディオおよびビデオＣＯＤＥＣおよびこれらネットワークにおけるそのトランスポートフォーマットの詳細に依存して、選択的に、データのトランスペアレントな先送り、所謂「再フレーム化」（"Re-Framing"）、すなわちトランスポートフォーマットの簡単な変更であるが所謂トランスコーダを用いた異なっているＣＯＤＥＣ間のデータの完全な変換が必要になる可能性がある。ここで説明する方法により、トランスコーディングはビデオＣＯＤＥＣに対しては特に大幅に回避されることになる。
【００６０】
ＭＧＣＦは更に次のものを含んでいる：
−  ＩＳＵＰ／ＢＩＣＣに従ってＣＳネットワークに対してシグナリングしかつ呼び制御部５２と、例えば所有者プロトコルに従ってシグナリング通信を交換する呼び制御部７０。その場合例えば呼び制御部５２はプロトコル変換を実施し、すなわち一方のシグナリングプロトコルの個々のシグナリング通信の、別のシグナリングプロトコルのシグナリング通信での伝送を実施する
−  ＩＭＳに対して、ＴＣＰ（Transmission Control Protocol）もしくはＵＤＰ（User Datagram Protocol）に従ったシグナリング通信を送信ないし受信する送受信ユニット７２。
【００６１】
ＩＭ−ＭＧＷは更に次のものを含んでいる：
−  ＩＭＳに対して、ＩＭＳに対して、ＴＣＰ（Transmission Control Protocol）もしくはＵＤＰ（User Datagram Protocol）に従った有効データを送信ないし受信する送受信ユニット８０。
【００６２】
図３は、方法のステップと制御ユニットＭＧＣＦおよびネットワーク移行ユニットＩＭ−ＭＷＧのシグナリング通信とが略示されている。端末装置ＭＳ１および端末装置ＭＳ２間のビデオ電話コネクションの確立に対するシグナリングステップは詳細には次の通りである：
１．  ＭＧＣＦは、ＣＳサイドにおいてビデオ電話に対するＨ．３２４コネクションをセットアップすることを決定する。まず、ＭＧＣＦはＣＳネットワークのサイドで物理的な所謂"Termination"をコンフィギュレーションする。パケットトランスポートに対してＭＧＣＦはこのために、新しいターミネイションを所謂Ｈ．２４８「コンテキスト」（"context"）にＨ．２４８「アド」（"Add"）命令を用いて生成する。ＴＤＭトランスポート（Time Division Multiplexing）に対してＭＧＣＦはこれに代わって、物理的な線路における固定のタイムスロットを表している既存のターミネイションをシフトすることができる。ターミネイションは所謂Ｈ．２４８"stream"を割り当てられて得、ここでは例えば値１を有するストリームを得る。
２．  ＩＭ−ＭＧＷはターミネイションを相応にセットアップしかつターミネイションに対する識別子Ｔ１およびコンテキストに対する識別子Ｃ１を返送する。
３．  ＣＳサイドのトランスポートコネクションが確立される。
４．  ＭＧＣＦは既存のＨ．２４８．１およびＨ．２４８．２０（Gateway control protocol: The use of local and remote descriptors with H.221 and H.223 multiplexing）標準に従って同じコンテキストＣ１におけるマルチプレキシングを記述するための固有の論理Ｈ．２４８ターミネイションをセットアップしかつ所謂"Mux"パラメータにより、マルチプレキシングがターミネイションＴ１において記述されかつＨ．２２３標準に従って行われることを表現する。ＭＧＣＦは、値０を有する所謂「ロジカル・チャネル・ナンバー」（"logical channel number"）を割り当てられて得る固有の"ｓｔｒｅａｍｓ"を用いてＨ．２４５シグナリングのために使用されるべきであるＨ．２２３プロトコルの倫理チャネルを記述する。ＭＧＣＦはＩＭ−ＭＧＷに、所謂"MultiplexingLevel"のＨ．２２３処理を開始する、有利にはここでは"H223MultiplexingLevelNegotiation"と称される新しい所謂Ｈ．２４８"signals"が用いられる。ＭＧＣＦはＩＭ−ＭＧＷに、所謂"MultiplexingLevel"のＨ．２２３処理が、有利にはここでは"H223Establishment"と呼ばれる所謂「マルチプレックスレベル」のＨ．２２３処理が終了するや否や、ＭＧＣＦに取り決められたマルチプレキシング・レベルを有する通信を送信するように指示する。ＭＧＣＦはＩＭ−ＭＧＷに、ＩＭ−ＭＧＷがＨ．２４５通信を受信する場合には、ＭＳＣＦに受信されたＨ．２４５シグナリングを有する通信を送信するように指示する。有利に亜ｈＭＧＣＦはこのために、ここでは"H2455Signalling"と称される新しい所謂Ｈ．２４８"event"を利用する。
５．  ＩＭ−ＭＧＷは新しいターミネイションを相応にセットアップしかつ識別子Ｔ２を返送する。
６．  ＩＭ−ＭＧＷはＨ．２２３コネクションをセットアップしかつＣＳサイドの端末装置、すなわちＭＳ１とここでは例えば値２を有するマルチプレキシング・レベルを取り決める。
７．  ＩＭ−ＭＧＷはＭＧＣＦに、Ｈ２２３マルチプレキシング・レベルの取り決めが完了しておりかつどのレベルが選択されたかを通報する。ＭＧＣＦは次いでこれらの情報を、所謂Ｈ．２４５"Terminal Capability Set"通信において相応の能力を指示するために必要とする。有利にはＩＭ−ＭＧＷは、ここでは"MultiplexingLevel"と称される適当なパラメータを取り決められたマルチプレキシング・レベル（MultiplexingLevel）を指示するために含んでいる新しいイベント"H223Establishment"を備えた所謂Ｈ．２４８"Notify"通信を利用する。
８．  ＭＧＣＦは"Notify"通信を得たことを確認する。
９．  ＩＭ−ＭＧＷはＣＳサイドの端末装置ＭＳ１から、所謂「マスタ・スレーブ決定」（"Master-Slave Determination"）Ｈ．２４５通信と組み合わせることができる所謂「ターミナル・ケイパビリティ・セット」（"Terminal Capability Set"）Ｈ．２４５通信を得る。
１０．  ＩＭ−ＭＧＷは得られた単数のＨ．２４５通信または複数の通信をトランスペアレントに、すなわち変化せずに先送りする。有利にはＩＭ−ＭＧＷはこのために、Ｈ．２４５シグナリングを指示するための適当なパラメータを含んでいる新しいイベント"H245Signalling"を備えた所謂Ｈ．２４８"Notify"通信を利用する。
１１．  ＭＧＣＦはＨ．２４８に従った"Notify"通信を得たことを確認する。
１２．  Ｈ．２４５によれば、"Terminal Capability Set"Ｈ．２４５通信および"Master-Slave Determination"Ｈ．２４５通信は確認を要求する。ＭＧＣＦはＨ．２４５シグナリングを終端するので、ＭＧＣＦは、必要なＨ．２４５通信"Terminal Capability Set Ack"および"Master-Slave Determination Ack"をＩＭ−ＭＧＷを介してＨ．２４５コネクションに送信することを決定する。ＭＧＣＦはＨ．２４５通信を生成し、通信をＩＭ−ＭＧＷに転送しかつＩＭ−ＭＧＷに、Ｈ．２２３コネクション内部で通信を先送りするように指示する。有利にはＩＭ−ＭＧＷはこのために、ここでは"H245Message"と称されかつここでは"Information"と表される適当なパラメータをＨ．２４５シグナリングを指示するために含んでおりかつ"stream"２に、つまり通信４においてＨ．２４５シグナリングに対する論理Ｈ．２２３チャネルに指定された"stream"に関連付けられている新しい所謂信号を備えている所謂Ｈ．２４８"Modify"を利用している。
１３．  ＩＭ−ＭＧＷは得られたＨ．２４５通信をトランスペアレントにＨ．２２３コネクションにおいてＣＳネットワークのサイドに先送りする。
１４．  ＩＭ−ＭＧＷは"Modify"通信１２を確認する。
１５．  ＭＧＣＦは、Ｈ．２４５通信をＩＭ−ＭＧＷを介してＨ．２４５コネクションにおいて送信することを決定する。これは例えば、所謂"Master-Slave Determination"Ｈ．２４５通信と組み合わせることができる所謂"Capability Set"Ｈ．２４５通信である。Ｈ．２４５通信"Terminal Capability Set"通信においてＭＧＣＦは取り決められたマルチプレキシング・レベル並びにＩＭ−ＭＧＷの能力を、例えばどのＨ．２２３プロトコルオプション（例えばマルチプレキシングに対するネスティング深度）およびいずれのＣＯＤＥＣがＩＭ−ＭＧＷを支援するかを考慮しなければならない。ＭＧＣＦはこれら能力に関するコンフィギュレーションされた知識を有しているか、またはこれはこの能力を所謂Ｈ．２４８"AuditCapabilities"通信を用いてＩＭ−ＭＧＷに質問する。ＭＧＣＦは有利には、"Terminal Capability Set"において指示された能力の選択の際に、殊に指示されたＣＯＤＥＣを考慮して、ＳＩＰ／ＳＤＰシグナリングからの情報も考慮する。有利にはＭＧＣＦは有利には、トランスコーディングを回避するためにＩＭＳ並びにＣＳネットワークのサイドにおいて支援されるＣＯＤＥＣを選択する。ＭＧＣＦはＨ．２４５通信を生成し、通信をＩＭ−ＭＧＷに転送しかつ、通信１２において既に説明したように、Ｈ．２４５コネクション内で通信を先送りするようにＩＭ−ＭＧＷに指示する。
１６および１７．  通信１３および１４と類似しており、すなわちＨ．２４５通信の、ＣＳサイドへの転送およびＩＭ−ＭＧＷによるＭＧＣＦに対する確認。
１８．  ＩＭ−ＭＧＷはＭＳ１から、所謂「マスタ・スレーブ決定肯定応答」（"Master-Slave Determination Ack"）Ｈ．２４５通信と組み合わせることができる所謂「ターミナル・ケイパビリティ・セット肯定応答」（"Terminal Capability Set Ack"）Ｈ．２４５通信を得る。
１９および２０．  通信１０および１１と類似。
２１．  ＭＧＣＦはビデオ電話に対するＣＯＤＥＣを選択し、その際ＭＧＣＦはＩＭＳサイドにおけるＳＩＰ／ＳＤＰシグナリングからの情報並びに"Terminal Capability Set"Ｈ．２４５通信９を考慮する。有利にはＭＧＣＦは、トランスコーディングを回避するためにＩＭＳ並びにＣＳネットワークのサイドにおいて、支援されるＣＯＤＥＣを選択する。殊に、ＭＧＣＦは選択された音声またはビデオＣＯＤＥＣに相応する所謂Ｈ．２２３"logical channel number"（ＬＣＮ）も"Terminal Capability Set"２４５通信９または１６から取り出す。ＭＧＣＦは所謂"open logical schannel"２４５通信を生成しかつその中に選択されたＣＯＤＥＣのＬＣＮを指示する。ＭＧＣＦはＨ．２４５通信を生成し、通信をＩＭ−ＭＧＷに転送しかつ、通信１２において既に説明したように、通信をＨ．２４５コネクション内で通信を先送りするようにＩＭ−ＭＧＷに指示する。
ここに図示されていない例において、ＭＧＣＦがＩＭ−ＭＧＷを介してＣＳネットワークから「オープン・ロジカル・チャネル」（"Open Logical Channel"）Ｈ．２４５通信を得るようにすることもできる。この場合ＣＳネットワークにおいて"Terminal Capability Set"通信１６において提供された能力から選択される。
２２および２３．  通信１３および１４と類似、すなわちＩＭ−ＭＧＷによる転送および確認。
２４．  ＩＭ−ＭＧＷはＣＳサイドから所謂「オープン・ロジカル・チャネル・アクノリッジ」（"Open Logical Channel Ack"）Ｈ．２４５通信を受け取る。
２５および２６．  通信１０および１１に類似、すなわちＨ．２４５通信の、ＩＭ−ＭＧＷからＭＧＣＦへの転送およびこの通信の受信の、ＭＧＣＦによるＩＭ−ＭＧＷに対する確認。
２７．  ＭＧＣＦはＩＭ−ＭＧＷに、通信２１乃至２６を用いて既にＨ．２４５シグナリングを介して取り決められた論理Ｈ．２２３チャネルをセットアップするように指示する。このためにＩＭ−ＭＧＷはマルチプレキシング・ターミネイションＴ２に関するＨ．２４８"Modify"通信を送信し、該通信においてＩＭ−ＭＧＷは新しい"stream 3"を記述し、ここでＩＭ−ＭＧＷは通信２１の場合のようにＬＣＮおよびＣＯＤＥＣを指示する。
２８．  ＩＭ−ＭＧＷは"Modify"通信を確認する。
２９．  ＭＧＣＦはＩＭ−ＭＧＷに、ＩＭＳのサイドにおいて stream 3 と接続されるようにするターミネイションをセットアップするように指示し、その結果ＩＭ−ＭＧＷはＩＭＳまたはＣＳネットワークのサイドで受信された stream 3 に配属されているデータをその都度別のサイドに先送りする。このためにＩＭ−ＭＧＷはコンテキストＣ１に関するＨ．２４８"Add"通信を送信し、かつその中で、"stream 3"が推奨されるものであることおよびこのためのいずれのＣＯＤＥＣを使用することができるかを指示する。通信２７および２９において同じＣＯＤＥＣが指示されているとき、ＩＭ−ＭＧＷは、トランスコーディングが必要ではないことを認識する。
３０．  ＩＭ−ＭＧＷは"Modify"通信を確認する。
３１．  ステップ２１乃至３０に類似したステップが実施されて、音声のトランスポートのためのベアラに対する"stream 4"およびターミネイションＴ４に対する相応の音声ＣＯＤＥＣがコンフィギュレーションされるようにする。
【００６３】
類似のステップは端末装置ＭＳ１と端末装置ＭＳ２との間のビデオ電話コネクションの解除の際にも実施される。
【００６４】
図４はビデオ・コールに対するコンテキストを示し、その際次のことが当てはまる：
Termination：
−  Ｔ１：ＣＳドメイン（Ｈ．２４５コントロール、音声およびビデオに対するＣＳベアラ（ＢＳ３０））、
−  Ｔ２：マルチプレキシング（Ｈ．２４５コントロール、音声およびビデオ）、
−  Ｔ３：独自のＲＴＰベアラを有するビデオ、および
−  Ｔ４：独自のＲＴＰベアラを有する音声。
Stream:
−  Stream1：データ（Ｈ．２４５コントロール、音声およびビデオ）を有するＴ１およびＴ２間、
−  Stream2：Ｈ２４５コントロール情報を以てＴ２で終端されている、
−  Stream3：ビデオデータを有するＴ２およびＴ３の間、および
−  Stream4：音声データを有するＴ２およびＴ４の間。
【００６５】
別の実施例において、ビデオ電話とは別のサービス、例えば音声電話およびテキストメッセージに関連している。上述したプロトコルに代わって、別の実施例において別のプロトコルも使用される。
【００６６】
別の実施例において、ＩＭ−ＭＧＷおよびＭＧＣＦの機能はユニットによって、殊にデータ処理ユニットによって行われるので、その場合ＩＭ−ＭＧＷとＭＧＣＦとの間に外部の伝送区間は存在していない。
【００６７】
別の実施例において図１に示されているものとは別のネットワークコンフィギュレーションが使用される。例えば、別のアクセスネットワークを介して、例えばＤＳＬまたはＷＬＡＮまたはＷｉＭＡＸを介して接続されている、ＩＭＳにおけるＩＰターミナルに対して。ＩＭＳの代わりに、一般に、ＳＩＰを使用する別のネットワークも使用することができる。同様に、ＣＳネットワークにおいて別の端末装置、例えば固定網電話を利用することもできる。択一的に２つのネットワークにおいて、図１に示されているものとは別の端末装置が使用される。
【図面の簡単な説明】
【００６８】
【図１】典型的なネットワークコンフィギュレーションを示す略図
【図２】制御ユニットおよびネットワーク移行ユニットに対するブロック線図
【図３】制御ユニットおよびネットワーク移行ユニットのシグナリング通信を示す略図
【図４】デオ電話通話に対するコンテキストを示す略図
【図１】
2009513045.tif 000003
【図２】
2009513045.tif 000004
【図３】
2009513045.tif 000005
【図４】
2009513045.tif 000006
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
ネットワーク移行ユニット（ＩＭ−ＭＧＷ）においてシグナリングデータを転送するための方法であって、次のステップを有している：
第１のシグナリング方法に従ってシグナリングされる第１のデータ伝送ネットワーク（ＣＳ）と第２のシグナリング方法に従ってシグナリングされる第２のデータ伝送ネットワーク（ＩＭＳ）との間で有効データを伝送するネットワーク移行ユニット（ＩＭ−ＭＧＷ）において、第１のデータ伝送ネットワーク（ＣＳ）から２つの端末装置（ＭＳ１，ＭＳ２）または端末装置間グループ間のデータ伝送サービスに対してシグナリングデータおよび有効データが伝送されるデータ伝送コネクションを介してデータを受信し、
ここで第１のシグナリング方法は第２のシグナリング方法とは相異しており、
ネットワーク移行ユニット（ＩＭ−ＭＧＷ）において、シグナリングデータと有効データとを分離し、
受信されたシグナリングデータを変化されていない形において前記ネットワーク移行ユニット（ＩＭ−ＭＧＷ）から制御ユニット（ＭＧＣＦ）に転送し、
前記ネットワーク移行ユニット（ＩＭ−ＭＧＷ）において、前記有効データを前記第１のデータ伝送ネットワーク（ＣＳ）から前記第２のデータ伝送ネットワーク（ＩＭＳ）へ転送し、ここで
前記制御ユニット（ＭＧＣＦ）は第１のシグナリング方法に従ったシグナリングを終了するまたは開始し、
前記シグナリングデータは２つの端末装置（ＭＳ１，ＭＳ２）または端末装置グループ間のビデオ電話コネクションであり、かつ
前記シグナリングデータはＨ．２４８プロトコルに挿入されて前記ネットワーク移行ユニット（ＩＭ−ＭＧＷ）から前記制御ユニット（ＭＧＣＦ）へ転送されかつ前記制御ユニット（ＭＧＣＦ）から前記ネットワーク移行ユニット（ＩＭ−ＭＧＷ）へ転送される
方法。
【請求項２】
前記データ伝送コネクションは、物理的なデータ伝送に対するプロトコル層の上にあるプロトコルレベル上のコネクションである、
または次のステップが実施される：
制御ユニット（ＭＧＣＦ）において、シグナリングデータにより確定される、第１のシグナリング方法によるシグナリング通信に基づいて、第２のシグナリング方法に従って少なくとも１つのシグナリング通信を生成する
請求項１記載の方法。
【請求項３】
前記データ伝送コネクションをシグナリング通信を用いて確立する
請求項１または２記載の方法。
【請求項４】
データ伝送コネクションは少なくとも２つの異なった種類の有効データ、例えば音声データおよびビデオデータを伝送するために用いられる
請求項１から３までのいずれか１項記載の方法。
【請求項５】
分離を受信されたデータの値を用いて実施する
請求項１から４までのいずれか１項記載の方法。
【請求項６】
第１のシグナリング方法は、シグナリングデータおよび有効データが同一の伝送区間を介して伝送されるシグナリング方法、例えばイン・バンド・シグナリング方法であり、かつ
第２のシグナリング方法は、シグナリングデータが有効データとは別の伝送区間を介して伝送されるシグナリング方法、例えばアウト・オブ・バンド・シグナリング方法である
請求項１から５までのいずれか１項記載の方法。
【請求項７】
第１のデータ伝送ネットワーク（ＣＳ）は回線交換データ伝送ネットワーク、インターネットプロトコルに従ってデータ伝送が行われるデータ伝送ネットワークまたはＡＴＭ伝送ネットワークでありかつ
第２の伝送ネットワーク（ＩＭＳ）はインターネットプロトコルに従って動作しかつ有利にはシグナリングのためにＳＩＰを利用するデータ伝送ネットワークである
請求項１から６までのいずれか１項記載の方法。
【請求項８】
シグナリングデータをシグナリングデータパケットにおいて伝送しかつ有効データを有効データパケットにおいて伝送し、かつ
分離をデータパケットに含まれている識別符号に基づいて、例えばＨ．２２３マルチプレクスコード識別符号に基づいて実施する
請求項１から７までのいずれか１項記載の方法。
【請求項９】
ステップ：
シグナリングデータを外部の伝送区間を介して制御ユニット（ＭＧＣＦ）に伝送する
を備えている
請求項１から８までのいずれか１項記載の方法。
【請求項１０】
前記制御ユニット（ＭＧＣＦ）は第１のデータ伝送ネットワーク（ＣＳ）に対する別のシグナリング方法に従ったシグナリング通信を有するシグナリングデータも処理し、ここでシグナリング通信はＢＩＣＣまたはＩＳＵＰに従って伝送される
請求項１から９までのいずれか１項記載の方法。
【請求項１１】
前記制御ユニット（ＭＧＣＦ）とネットワーク移行ユニット（ＩＭ−ＭＧＷ）との間で、制御シグナリング方法に従って、例えば標準ＩＴＵ−Ｔ  Ｈ．２４８またはＭＥＧＡＣＯ  プロトコルに従ってまたはＭＧＣＰプロトコルに従ってシグナリング通信が伝送される
請求項１から１０までのいずれか１項記載の方法。
【請求項１２】
ステップ：
転送を前記制御ユニット（ＭＧＣＦ）によって行わせる
を備えている
請求項１から１１までのいずれか１項記載の方法。
【請求項１３】
前記制御ユニット（ＭＧＣＦ）は、先送りされるべきであることを指示している識別符号（H245Signalling）、例えばＨ．２４８イベントに対する識別符号を含んでいる通信（４）の送信によって転送が行われるようにする
請求項１２記載の方法。
【請求項１４】
前記ネットワーク移行ユニット（ＩＭ−ＭＧＷ）は、通信、例えば転送されるべきシグナリング通信をパラメータとして含んでいるＨ．２４８ノティファイ・リクエスト通信（１０，１９，２５）を備えたシグナリング通信を転送する
請求項１から１３までのいずれか１項記載の方法。
【請求項１５】
前記パラメータは、識別符号（H245Signalling）が、通信は転送されることを指示しているＨ．２４８イベントのパラメータである
請求項１３または１４に記載の方法。
【請求項１６】
前記制御ユニット（ＭＧＣＦ）は前記ネットワーク移行ユニット（ＩＭ−ＭＧＷ）に第１のシグナリング方法に従ったシグナリング通信を通信、例えば通信（１２，１５，２１）における、例えばＨ．２４８モディファイ・リクエスト通信におけるパラメータとして伝送し、ここでＨ．２４８通信は、第１のシグナリング方法に従った通信がパラメータとして先送りされることを指示する識別符号（H245Message）を含んでいる
請求項１から１５までのいずれか１項記載の方法。
【請求項１７】
先送りされる通信はネットワーク移行ユニット（ＩＭ−ＭＧＷ）から変化されずに端末装置（ＭＳ１）のサイドに第１のデータ伝送ネットワークにおいて伝送される
請求項１６記載の方法。
【請求項１８】
シグナリングデータおよび有効データはマルチプレックス方法に従ってネットワーク移行ユニットに伝送される
請求項１から１７までのいずれか１項記載の方法。
【請求項１９】
シグナリングデータおよび有効データは標準ＩＴＵ−Ｔ  Ｈ．２２３に規定されているマルチプレックス方法に従ってネットワーク移行ユニットに伝送される
請求項１８記載の方法。
【請求項２０】
前記制御ユニット（ＭＧＣＦ）はネットワーク移行ユニットを、有利にはマルチプレクスレベルの取り決めが開始されるべきであるということを指示する識別符号（H223MultiplexingLevelNegotiation）、例えばＨ．２４８シグナル識別符号を含んでいる通信（４）を送信することによって制御して、マルチプレクスレベルの取り決めが始められるようにする
請求項１から１９までのいずれか１項記載の方法。
【請求項２１】
前記制御ユニット（ＭＧＣＦ）はネットワーク移行ユニットを制御して、該制御ユニット（ＭＧＣＦ）に、取り決められたマルチプレックスレベルの値が指示されている通信が、例えばマルチプレックスレベルの値が制御ユニット（ＭＧＣＦ）に伝送されるべきであることを指示している識別符号（H223Establishment）、例えばＨ．２４８イベント識別符号を含んでいる通信（４）の送信により送信されるようにする
請求項１から２０までのいずれか１項記載の方法。
【請求項２２】
ネットワーク移行ユニット（ＩＭ−ＭＧＷ）は制御ユニット（ＭＧＣＦ）に、マルチプレックスレベルの取り決め後に、マルチプレックスレベルの値を通信（７）において、例えばＨ．２４８ノティファイ・リクエスト通信において伝送する
請求項１から２１までのいずれか１項記載の方法。
【請求項２３】
第１のシグナリング方法はプロトコルＩＴＵ−Ｔ  Ｈ．２４５に従った方法であり、および／または
第２のシグナリング方法はＳＩＰシグナリング方法である
請求項１から２２までのいずれか１項記載の方法。
【請求項２４】
前記制御ユニット（ＭＧＣＦ）は第１のシグナリングプロトコルに従ったシグナリング通信の生成の際に、有利にはＨ．２４５に従った TerminalCapabilitySet 通信の生成の際にネットワーク移行ユニット（ＩＭ−ＭＧＷ）の特性を考慮する
請求項１から２３までのいずれか１項記載の方法。
【請求項２５】
ステップ：
ネットワーク移行ユニット（ＩＭ−ＭＧＷ）において、前記制御ユニット（ＭＧＣＦ）から第１のデータ伝送ネットワーク（ＣＳ）と第２のデータ伝送ネットワーク（ＩＭＳ）との間の境界に第１の伝送区間を介して到来するシグナリングデータを受信し、
前記ネットワーク移行ユニット（ＩＭ−ＭＧＷ）において、第２の伝送区間を介して第２のデータ伝送ネットワーク（ＩＭＳ）から有効データを受信し、ここで有効データはシグナリングデータに関連しており、
前記ネットワーク移行ユニット（ＩＭ−ＭＧＷ）において、受信されたシグナリングデータおよび受信された有効データを同じ伝送区間を介して送信する
を備えている
請求項１から２４までのいずれか１項記載の方法。
【請求項２６】
第１のデータ伝送ネットワーク（ＣＳ）に対する第１のシグナリング方法に従ったシグナリングデータを受信しかつ前記第１のデータ伝送ネットワーク（ＣＳ）からの、該シグナリングデータに関連した有効データを受信する受信ユニット（６０）と、
前記受信ユニット（６０）で受信されたシグナリングデータを変化せずに送信するシグナリングデータ送信ユニット（６２）と、
前記受信ユニット（６０）において受信された有効データを第２のデータ伝送ネットワーク（ＩＭＳ）に送信する有効データ送信ユニット（８０）と、
シグナリングデータおよび有効データを相互に分離しかつシグナリングデータをシグナリングデータ送信ユニット（６２）に転送しかつ有効データを有効データ送信ユニット（８０）に転送する分離ユニットと
を備えている
ネットワーク移行ユニット（ＩＭ−ＭＧＷ）、例えば請求項１から２５までのいずれか１項記載の方法を実施するためのネットワーク移行ユニット。
【請求項２７】
第１のデータ伝送ネットワーク（ＣＳ）に対する第１のシグナリング方法に従ったシグナリングデータを受信する受信ユニット（５０）と、
第２のデータ伝送ネットワーク（ＣＳ）に対する第２のシグナリング方法に従ったシグナリングデータを送信する送信ユニット（７２）とを備え、ここで第１のシグナリング方法は、２つの端末装置（ＭＳ１，ＭＳ２）または端末装置グループ間のデータ伝送コネクションに対して第１のシグナリング方法に従ったシグナリングデータおよび有効データが伝送されるデータ伝送コネクションが使用されるシグナリング方法でありかつ第２のシグナリング方法はシグナリングデータおよび有効データが相互に異なっている伝送区間を介して伝送されるシグナリング方法でありかつ
第１のシグナリング方法に従ったシグナリング通信から出発して第２のシグナリング方法に従って相応のシグナリング通信を生成する変換ユニット（５２）を
備えている
制御ユニット（ＭＧＣＦ）、例えば請求項１から２５までのいずれか１項記載の方法を実施するための制御ユニット。
【国際調査報告】
2009513045.tif 000007
2009513045.tif 000008
2009513045.tif 000009
2009513045.tif 000010
2009513045.tif 000011
2009513045.tif 000012